(57)【特許請求の範囲】
【請求項１】
通信システムにおいてデータ通信のための方法であって、
第１のサブフレームの第１のスロットでダウンリンク（ＤＬ）スケジューリングを転送するステップと、
前記第１のサブフレームで前記ＤＬスケジューリングに対応するＤＬデータを転送するステップと、
前記第１のサブフレームの第２のスロットでアップリンク（ＵＬ）スケジューリングを転送するステップと、を含み、
前記ＵＬスケジューリングは、第２のサブフレームでＵＬデータの転送に対応することを特徴とするデータ通信方法。
【請求項２】
前記ＤＬ及びＵＬスケジューリングの各々は、時間領域（domain）で設定されたＯＦＤＭシンボルを通して転送されることを特徴とする請求項１に記載のデータ通信方法。
【請求項３】
前記設定されたＯＦＤＭシンボルは、上位階層シグナリングにより二つのセット（sets）で構成され、前記二つのセットのうち第１のセットは前記ＤＬスケジューリングのために設定され、前記二つのセットのうち第２のセットは前記ＵＬスケジューリングのために設定されることを特徴とする請求項２に記載のデータ通信方法。
【請求項４】
前記設定されたＯＦＤＭシンボルは、前記第１のスロットで制御領域のための少なくとも一つのＯＦＤＭシンボルを除外することを特徴とする請求項２に記載のデータ通信方法。
【請求項５】
前記ＤＬ及びＵＬスケジューリングの各々は、周波数領域（domain）で設定されたリソースブロック（ＲＢｓ：Resource Blocks）を通して転送されることを特徴とする請求項１に記載のデータ通信方法。
【請求項６】
前記ＤＬ及びＵＬスケジューリングの各々は、前記ＲＢｓ内で４個のリソース要素（ＲＥｓ：Resource Elements）を含む少なくとも一つの中継制御チャネル要素（Ｒ−ＣＣＥ：Relay-Control Channel Element）を通して転送されることを特徴とする請求項５に記載のデータ通信方法。
【請求項７】
前記ＤＬスケジューリングまたは前記ＵＬスケジューリングは、インタリービングを通してＲＥｓにマッピングされることを特徴とする請求項６に記載のデータ通信方法。
【請求項８】
通信システムにおいてデータ通信のための方法であって、
第１のサブフレームの第１のスロットでＤＬスケジューリングを受信するステップと、
前記第１のサブフレームで前記ＤＬスケジューリングに対応するＤＬデータを受信するステップと、
前記第１のサブフレームの第２のスロットでＵＬスケジューリングを受信するステップと、を含み、
前記ＵＬスケジューリングは、第２のサブフレームでＵＬデータの転送に対応することを特徴とするデータ通信方法。
【請求項９】
前記ＤＬ及びＵＬスケジューリングの各々は、時間領域（domain）で設定されたＯＦＤＭシンボルを通して受信されることを特徴とする請求項８に記載のデータ通信方法。
【請求項１０】
前記設定されたＯＦＤＭシンボルは、上位階層シグナリングにより二つのセット（sets）で構成され、前記二つのセットのうち第１のセットは前記ＤＬスケジューリングのために設定され、前記二つのセットのうち第２のセットは前記ＵＬスケジューリングのために設定されることを特徴とする請求項９に記載のデータ通信方法。
【請求項１１】
前記設定されたＯＦＤＭシンボルは、前記第１のスロットで制御領域のための少なくとも一つのＯＦＤＭシンボルを除外することを特徴とする請求項９に記載のデータ通信方法。
【請求項１２】
前記ＤＬ及びＵＬスケジューリングの各々は、周波数領域（domain）で設定されたリソースブロック（ＲＢｓ：Resource Blocks）を通して受信されることを特徴とする請求項８に記載のデータ通信方法。
【請求項１３】
前記ＤＬ及びＵＬスケジューリングの各々は、前記ＲＢｓ内で４個のリソース要素（ＲＥｓ：Resource Elements）を含む少なくとも一つの中継制御チャネル要素（Ｒ−ＣＣＥ：Relay-Control Channel Element）を通して受信されることを特徴とする請求項１２に記載のデータ通信方法。
【請求項１４】
前記ＤＬスケジューリングまたは前記ＵＬスケジューリングは、インタリービングを通してＲＥｓにデマッピングされることを特徴とする請求項１３に記載のデータ通信方法。
【請求項１５】
通信システムにおいてデータ通信のための装置であって、
複数のアンテナと、
前記複数のアンテナに接続され、第１のサブフレームの第１のスロットでＤＬスケジューリングを転送し、前記第１のサブフレームで前記ＤＬスケジューリングに対応するＤＬデータを転送し、前記第１のサブフレームの第２のスロットでＵＬスケジューリングを転送し、第２のサブフレームで前記ＵＬスケジューリングに対応するＵＬデータを受信する送受信部と、
前記送受信部の転送及び受信を制御する制御部と、を含むことを特徴とするデータ通信装置。
【請求項１６】
前記ＤＬ及びＵＬスケジューリングの各々は、時間領域（domain）で設定されたＯＦＤＭシンボルを通して転送されることを特徴とする請求項１５に記載のデータ通信装置。
【請求項１７】
前記設定されたＯＦＤＭシンボルは上位階層シグナリングにより二つのセット（ｓｅｔｓ）で構成され、前記二つのセットのうち第１のセットは前記ＤＬスケジューリングのために設定され、前記二つのセットのうち第２のセットは前記ＵＬスケジューリングのために設定されることを特徴とする請求項１６に記載のデータ通信装置。
【請求項１８】
前記設定されたＯＦＤＭシンボルは前記第１のスロットで制御領域のための少なくとも一つのＯＦＤＭシンボルを除外することを特徴とする請求項１６に記載のデータ通信装置。
【請求項１９】
前記ＤＬ及びＵＬスケジューリングの各々は周波数領域（domain）で設定されたリソースブロック（ＲＢｓ：Resource Blocks）を通して転送されることを特徴とする請求項１５に記載のデータ通信装置。
【請求項２０】
前記ＤＬ及びＵＬスケジューリングの各々は、前記ＲＢｓ内で４個のリソース要素（ＲＥｓ：Resource Elements）を含む少なくとも一つの中継制御チャネル要素（Ｒ−ＣＣＥ：Relay-Control Channel Element）を通して転送されることを特徴とする請求項１９に記載のデータ通信装置。
【請求項２１】
前記ＤＬスケジューリングまたは前記ＵＬスケジューリングは、インタリービングを通してＲＥｓにマッピングされることを特徴とする請求項２０に記載のデータ通信装置。
【請求項２２】
通信システムにおいてデータ通信のための装置であって、
複数のアンテナと、
前記複数のアンテナに接続され、第１のサブフレームの第１のスロットでＤＬスケジューリングを受信し、前記第１のサブフレームで前記ＤＬスケジューリングに対応するＤＬデータを受信し、前記第１のサブフレームの第２のスロットでＵＬスケジューリングを受信し、第２のサブフレームで前記ＵＬスケジューリングに対応するＵＬデータを転送する送受信部と、
前記送受信部の転送及び受信を制御する制御部と、を含むことを特徴とするデータ通信装置。
【請求項２３】
前記ＤＬ及びＵＬスケジューリングの各々は、時間領域（domain）で設定されたＯＦＤＭシンボルを通して受信されることを特徴とする請求項２２に記載のデータ通信装置。
【請求項２４】
前記設定されたＯＦＤＭシンボルは上位階層シグナリングにより二つのセット（ｓｅｔｓ）で構成され、前記二つのセットのうち第１のセットは前記ＤＬスケジューリングのために設定され、前記二つのセットのうち第２のセットは前記ＵＬスケジューリングのために設定されることを特徴とする請求項２３に記載のデータ通信装置。
【請求項２５】
前記設定されたＯＦＤＭシンボルは前記第１のスロットで制御領域のための少なくとも一つのＯＦＤＭシンボルを除外することを特徴とする請求項２３に記載のデータ通信装置。
【請求項２６】
前記ＤＬ及びＵＬスケジューリングの各々は、周波数領域（domain）で設定されたリソースブロック（ＲＢｓ：Resource Blocks）を通して受信されることを特徴とする請求項２２に記載のデータ通信装置。
【請求項２７】
前記ＤＬ及びＵＬスケジューリングの各々は、前記ＲＢｓ内で４個のリソース要素（ＲＥｓ：Resource Elements）を含む少なくとも一つの中継制御チャネル要素（Ｒ−ＣＣＥ：Relay-Control Channel Element）を通して受信されることを特徴とする請求項２６に記載のデータ通信装置。
【請求項２８】
前記ＤＬスケジューリングまたは前記ＵＬスケジューリングはインタリービングを通してＲＥｓにデマッピングされることを特徴とする請求項２７に記載のデータ通信装置。
【発明の詳細な説明】
【技術分野】
【０００１】
本発明は、一般的に無線通信システムに関し、より詳細に、ハイブリッド自動再送要求
システムにおける中継ノードバックホール通信のためのシステム及び方法に関する。
【背景技術】
【０００２】
中継局（Relay Station：以下、“ＲＳ”と称する）は、セルラーサービスエリアの周辺で、サービス範囲、ユーザーデータ送信率、又は両方ともを増加させるために無線通信ネットワークに付加される。マルチホップネットワーク施設通信は、中継局により提供される拡大したサービスエリアで基地局（Base Station：以下、“ＢＳ”と称する）と加入者端末（移動局（Mobile Stations）：以下、“ＭＳ”と称する）とも呼ばれる）間で発生する。マルチホップネットワークにおいて、ソースからの信号は、中継局の使用を通してマルチホップで目的地に到達し得る。中継局は、一般的に、中継局（以下、“ＲＳ”と称する）が固定中継局であるか又は移動中継局であるかに関係なくダウンリンク（基地局から加入者端末に）及びアップリンク（加入者端末から基地局に）信号をブースティングする。現在のシステムは、中継局に対して電力節減メカニズムを使用しつつ中継システムカバレッジを効率的に増加させることができない。さらに、受信され送信されたデータ及び受信確認パケットの数のような負荷状態を効率的に管理することができる手続きが存在していない。
【発明の概要】
【発明が解決しようとする課題】
【０００３】
本発明の目的は、少なくとも上述した問題点及び／又は不都合に取り組み、少なくとも以下の便宜を提供することにある。すなわち、本発明の目的は、中継局に対して電力節減メカニズムを使用しつつ中継システムカバレッジを効率的に増加させる技術を提供することにある。
【課題を解決するための手段】
【０００４】
上記のような目的を達成するために、本発明の一態様によれば、中継局を通して加入者端末と通信することができる基地局が提供される。上記基地局は、複数のアンテナと、上記複数のアンテナに接続され、サブフレームで複数のハイブリッド自動再送要求（Hybrid Automatic Repeat Request：ＨＡＲＱ）過程のための複数の転送ブロックを送信する送信部とを含み、上記転送ブロックの各々は、異なるＨＡＲＱ過程（HARQ process）に対応する。
【０００５】
本発明の実施形態の他の態様によれば、中継局を通して加入者端末と通信することができる基地局が提供される。上記基地局は、複数のアンテナと、上記複数のアンテナに接続され、複数のリソースブロックで複数のＯＦＤＭシンボルを送信する送信部とを有し、上記送信部は、中継物理ダウンリンク制御チャネル（Relay Physical Downlink Control Channel：Ｒ−ＰＤＣＣＨ）領域をサブフレーム中の２つのセットのＯＦＤＭシンボルとして上位階層シグナリングにより半静的に構成することにより、第１のセットのＯＦＤＭシンボルがダウンリンクスケジューリング割り当てのために構成され、第２のセットのＯＦＤＭシンボルがアップリンクスケジューリング割り当てのために構成されるようにする。
【０００６】
本発明の実施形態のさらに他の態様によれば、中継局が提供される。上記中継局は、基地局と少なくとも１つの加入者端末間で通信を中継する送受信部と、サブフレームで複数のハイブリッド自動再送要求（Hybrid Automatic Repeat Request：ＨＡＲＱ）過程のための複数の転送ブロックを受信する制御部とを有し、上記転送ブロックの各々は、異なるＨＡＲＱ過程に対応する。
【０００７】
本発明の実施形態のさらなる他の態様によれば、中継局が提供される。上記中継局は、基地局と少なくとも１つの加入者端末間で通信を受信し送信する送受信部と、複数のリソースブロックで複数のＯＦＤＭシンボルを受信する制御部とを有し、中継物理ダウンリンク制御チャネル（Relay Physical Downlink Control Channel：Ｒ−ＰＤＣＣＨ）領域は、サブフレーム中の２つのセットのＯＦＤＭシンボルとして上位階層シグナリングにより半静的に構成されることにより、第１のセットのＯＦＤＭシンボルがダウンリンクスケジューリング割り当てのために構成され、第２のセットのＯＦＤＭシンボルがアップリンクスケジューリング割り当てのために構成される。
【０００８】
本発明の実施形態のさらに他の１つの態様によれば、基地局を動作させる方法が提供される。上記方法は、複数のハイブリッド自動再送要求（Hybrid Automatic Repeat Request：ＨＡＲＱ）過程のための複数の転送ブロックを基地局から中継局に送信するステップを含み、上記複数の転送ブロックは、サブフレームで送信され、転送ブロックの各々は、異なるＨＡＲＱ過程に対応する。
【０００９】
本発明の実施形態のさらにまた他の態様によれば、基地局を動作させる方法が提供される。上記方法は、複数のリソースブロックで複数のＯＦＤＭシンボルを上記基地局から中継局に送信するステップと、第１のセットのＯＦＤＭシンボルがダウンリンクスケジューリング割り当てのために構成され、第２のセットのＯＦＤＭシンボルがアップリンクスケジューリング割り当てのために構成されるようにすることにより、中継物理ダウンリンク制御チャネル領域をサブフレーム中の２つのセットのＯＦＤＭシンボルとして半静的に構成するステップとを含む。
【００１０】
本発明の実施形態のさらなる他の態様によれば、中継局を動作させる方法が提供される。上記方法は、複数のハイブリッド自動再送要求（Hybrid Automatic Repeat Request：ＨＡＲＱ）過程のための複数の転送ブロックを基地局から受信するステップを有し、上記複数の転送ブロックは、サブフレームで受信され、各転送ブロックは、異なるＨＡＲＱ過程に対応する。
【００１１】
本発明の実施形態のさらにその他の態様によれば、中継局を動作させる方法が提供される。上記方法は、複数のリソースブロックで複数のＯＦＤＭシンボルを上記基地局から受信するステップを有し、中継物理ダウンリンク制御チャネル（Ｒ−ＰＤＣＣＨ）領域は、サブフレーム中の２つのセットのＯＦＤＭシンボルとして上位階層シグナリングにより半静的に構成されることにより、第１のセットのＯＦＤＭシンボルがダウンリンクスケジューリング割り当てのために構成され、第２のセットのＯＦＤＭシンボルがアップリンクスケジューリング割り当てのために構成される。
【発明の効果】
【００１２】
本発明の実施形態は、受信され送信されたデータ及び受信確認パケットの数のような負荷状態を効率的に管理するのに役立つ方法を提供する。
【００１３】
本発明とそれによって存在するより完全な理解と、それに従う多くの利点のより完全な理解は容易に明らかになり、添付された図面との結合を考慮すれば、後述する詳細な説明を参照してよりよく理解できる。図面中、同一の参照符号は、同一であるか又は類似した構成要素を示す。
【図面の簡単な説明】
【００１４】
【図１】本発明による中継局を含むセルラーシステムを示す図である。
【図２】本発明の一実施形態による基地局をより詳細に示す図である。
【図３】本発明の一実施形態による中継局をより詳細に示す図である。
【図４】本発明による分離符号化を示す図である。
【図５】本発明による中継局対ＵＥ通信及びＢＳ対中継局通信を示す図である。
【図６】本発明による基地局と加入者端末間の信号交換を示す図である。
【図７】本発明による物理アップリンク制御チャネルを示す図である。
【図８】本発明の実施形態による中継局に対するＨＡＲＱ過程の送信を示す図である。
【図９】本発明の実施形態による２個のＲＮＴＩを有する１つの中継局に割り当てられた２個のＨＡＲＱ過程を示す図である。
【図１０】本発明の実施形態による１つのＲＮＴＩを有する１つの中継局に割り当てられた２個のＨＡＲＱ過程を示す図である。
【図１１】本発明の実施形態による制御チャネルエレメントに共同でマッピングされた２個の物理ダウンリンク制御チャネルのブラインド復号化を示す図である。
【図１２】本発明の実施形態によるリソース要素マッピングに対する制御チャネルエレメントを示す図である。
【図１３】本発明の実施形態によるリソース要素マッピングに対する制御チャネルエレメントを示す図である。
【図１４】本発明の実施形態によるリソース要素マッピングに対する制御チャネルエレメントを示す図である。
【図１５】本発明の実施形態によるリソースブロックに共同で割り当てられた２個の中継物理ダウンリンク制御チャネルを示す図である。
【図１６】本発明の実施形態による１つの中継局と関連し、１つのリソースブロックに多重化されマッピングされる２個の中継物理ダウンリンク制御チャネルを示す図である。
【図１７】本発明の実施形態による１つの中継局に共同で割り当てられた２個のＨＡＲＱ過程を示す図である。
【図１８】本発明の実施形態によるアップリンク帯域幅を示す図である。
【発明を実施するための形態】
【００１５】
本発明を詳細に説明するに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“挿入する（interleave）”、“並列する（juxtapose）”、“近接する（be proximate to）”、“接する（be bound to or with）”、“有する（have）”、及び“特性を有する（have a property of）”などを意味することができる。制御器は、少なくとも１つの動作を制御する装置、システム又はその部分を意味するもので、ハードウェア、ファームウェア、ソフトウェア、又は、それらのうちの２つ以上の組合せで実現することができる。任意の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１６】
以下で説明する図１乃至図１８及び本明細書で本発明の原理を記述するのに使用される様々な実施形態は、ただ例示的なものであって、本発明の範囲を限定するものと解釈するべきではない。当業者であれば、本発明の原理が適切に配置された任意の通信システムで実現されることができるものであることは自明である。
【００１７】
次の説明について、３ＧＰＰロングタームエボルーション（Long Term Evolution：以下、“ＬＴＥ”と称する）の用語“ｎｏｄｅ  Ｂ”及び“ｅＮｏｄｅ  Ｂ”は、下記に使用される“基地局（base station）”を意味する他の用語である。また、ＬＴＥ用語“ユーザ端末（user equipment）”又は“ＵＥ”は、下記に使用される“加入者端末（Subscriber Station：ＳＳ）”又は“移動局（Mobile Station：ＭＳ）”を意味する他の用語である。さらに、“中継ノード（relay node）”は、下記に使用される“中継局（Relay Station：ＲＳ）”を意味するまた他の用語である。
【００１８】
図１は、本発明による中継局を含むセルラーシステムを示す図である。ＢＳ１０２は、中継局、すなわち、ＲＳ１０５及びＲＳ１１０及びマクロ加入者端末、すなわち、ＳＳ１１１及びＳＳ１１６にデータを送信し、これらからデータを受信する。ＲＳ１０５は、データをＳＳ１１２に送信し、データをＳＳ１１２から受信する。ＲＳ１１０は、データをＳＳ１１４に送信し、データをＳＳ１１４から受信する。ＳＳ１１１、ＳＳ１１２、ＳＳ１１４、及びＳＳ１１６は、各々が同一であるか又は実質的に類似の通信機能を有するようにＵＥと類似して位置することができる。しかしながら、ＳＳ１１１、ＳＳ１１２、ＳＳ１１４、及びＳＳ１１６の各々は、携帯情報端末機（ＰＤＡ）、個人用コンピュータ、移動電話、スマートフォンなどのようなＵＥの他のタイプであり得る。
【００１９】
ＢＳ１０２とＲＳ１０５及びＲＳ１１０のような各中継局間の送信リンクは、本明細書でバックホールリンク１２５と呼ばれる。ＲＳ１１０は、ＢＳ１０２から受信したデータをＳＳ１１４に送信し、ＲＳ１０５は、ＢＳ１０２から受信したデータをＳＳ１１２に送信する。ＲＳ１１０は、ＳＳ１１４から受信したデータをＢＳ１０２に送信し、ＲＳ１０５は、ＳＳ１１２から受信したデータをＢＳ１０２に送信する。
【００２０】
ＬＴＥシステムは、３ＧＰＰ  ＴＳ  ３６．３２１  ｖ８．５．０に説明されており、ＭＡＣプロトコル標準の全体内容を参照し、サブフレーム送信当たりの１つ以上の転送ブロック（Transport Blocks：ＴＢｓ）を許容する。物理階層が空間多重化のために構成される場合に、サブフレーム当たりの１つ又は２つの転送ブロックが期待され、これらは、同一のハイブリッド自動再送要求（Hybrid Automatic Repeat Request：ＨＡＲＱ）過程と関連する。
【００２１】
幾つかのダウンリンク制御情報（Downlink Control Information：ＤＣＩ）フォーマットは、３ＧＰＰ  ＴＳ  ３６．２１２  ｖ８．５．０に定義され、多重化及びチャネル符号化（Multiplexing and Channel Coding）の全体内容を参照する。追加で、“３ＧＰＰ  ＴＳ  ３６．３２１  ｖ８．５．０、ＭＡＣプロトコル標準（MAC Protocol Specification）”の６．８．５に開示されたマッピングリソース要素の使用に対するインタリービング（interleaving）は、３ＧＰＰ  ＴＳ  ３６．２１３  ｖ８．５．０に定義され、物理階層手順（Physical Layer Procedure）の全体内容を参照する。
【００２２】
“３ＧＰＰ  ＴＳ  ３６．３２１  ｖ８．５．０、ＭＡＣプロトコル標準”で説明されたＬＴＥ標準によると、１つのＤＣＩだけが受信され、物理ダウンリンク共有チャネル（Physical Downlink Shared Channel：ＰＤＳＣＨ）送信に対して復号化されることができる。
【００２３】
図２は、本発明の一実施形態による基地局をより詳細に示す図である。図２に示す基地局１０２の実施形態は、ただ例示であるだけであり、基地局１０２の他の実施形態は、本発明の範囲内で使用されることができる。
【００２４】
基地局１０２は、基地局制御部（Base Station Controller：ＢＳＣ）１５０及び基本送受信サブシステム（Base Transceiver Subsystem：ＢＴＳ）１５５を有する。基地局制御部は、基本送受信サブシステムを含み、無線通信ネットワーク内の特定されたセルのための無線通信リソースを管理する装置である。基本送受信サブシステムは、各セルサイトに位置した複数のＲＦ送受信部、複数のアンテナ、及び他の電気機器を有する。このような機器は、空調ユニット、ヒーティングユニット、電気供給装置、電話線インターフェース、ＲＦ送信器、及びＲＦ受信器を含み得る。本発明の動作に対する説明の簡潔性及び明瞭性のために、セル１２２での基本送受信サブシステム及びこの基本送受信サブシステムと関連した基地局制御部は、ＢＳ１０２と総称する。
【００２５】
ＢＳＣ１５０は、ＢＴＳ１５５を含むセルサイト１２１のリソースを管理する。ＢＴＳ１５５は、ＢＴＳ制御部１６０、チャネル制御部１６５、送受信部インターフェース（Interface：ＩＦ）１７５、２個のＲＦ送受信部１８０、及びアンテナアレイ１８５を有する。チャネル制御部１６５は、チャネルエレメント１７０を含む複数のチャネルエレメントを有する。また、ＢＴＳ１５５は、ハンドオフ制御部１９０を有する。ＢＴＳ１５５内に含まれるハンドオフ制御部１９０及びメモリ１９５の実施形態は、ただ例示であるだけである。ハンドオフ制御部１９０及びメモリ１９５は、本発明の範囲から逸脱することなくＢＳ１０２の他の部分に位置することができる。
【００２６】
ＢＴＳ制御部１６０は、ＢＳＣ１５０と通信する動作プログラムを実行することができる処理回路及びメモリを有し、ＢＴＳ１５５の全体動作を制御する。通常の状態で、ＢＴＳ制御部１６０は、順方向チャネル及び逆方向チャネルで双方向通信を実行するチャネルエレメント１７０を含む複数のチャネルエレメントを含むチャネル制御部１６５の動作を指示する。順方向チャネルは、信号が基地局から移動局に送信されるチャネルを意味する（ダウンリンク通信とも呼ばれる）。逆方向チャネルは、信号が移動局から基地局に送信されるチャネルを意味する（アップリンク通信とも呼ばれる）。本発明の有利な実施形態において、ＯＦＤＭＡプロトコルに従って、チャネルエレメントは、セル１２０で移動局と通信する。送受信部ＩＦ１７５は、チャネル制御部１７０とＲＦ送受信部１８０間の双方向チャネル信号を送信する。単一の装置としてのＲＦ送受信部１８０の実施形態は、ただ例示であるだけであり、各ＲＦ送受信部１８０は、本発明の範囲内で個別の送信部及び受信部を含むことができる。
【００２７】
アンテナアレイ１８５は、ＲＦ送受信部１８０から受信した順方向チャネル信号をＢＳ１０２のサービスエリアにある移動局に送信する。また、アンテナアレイ１８５は、ＢＳ１０２のサービスエリアにある移動局から受信した逆方向チャネル信号を送受信部１８０に送信する。本発明の一部の実施形態において、アンテナアレイ１８５は、各アンテナセクタが１２０Ｅアークサービスエリアでの送信及び受信を担当する３個のセクタアンテナのようなマルチセクタアンテナである。追加で、ＲＦ送受信部１８０は、送受信動作の間にアンテナアレイ１８５で相互に異なるアンテナ間で選択を行うアンテナ選択部を含み得る。
【００２８】
本発明の一部の実施形態によると、ＢＴＳ制御部１６０は、メモリ１９５にしきい値パラメータを保存するように動作することができる。メモリ１９５は、コンピュータ読み取り可能な記録媒体であり得る。例えば、メモリ１９５は、マイクロプロセッサー又は他のコンピュータ関連システム又は方法により使用されるためのコンピュータプログラム、ソフトウェア、ファームウェア又はデータの包含、格納、通信、伝播、又は送信を行える電子、磁気、電磁気、光学、電気−光学、電気−機械、及び／又は他の物理的な素子であり得る。メモリ１９５は、ランダムアクセスメモリ（Random Access Memory：ＲＡＭ）を有し、メモリ１９５の他の部分は、読み取り専用メモリ（Read-Only Memory：ＲＯＭ）として機能するフラッシュメモリを有する。
【００２９】
ＢＳＣ１５０は、ＲＳ１０５とＲＳ１１０間の通信を維持するように動作することができる。ＢＳ１０２は、バックホールリンク１２５を通してＲＳ１０５及びＲＳ１１０と通信する。一部の実施形態において、バックホールリンク１２５は、有線接続であり、一部の実施形態において、バックホールリンク１２５は、無線接続である。
【００３０】
図３は、本発明の一実施形態による中継局をより詳細に示す図である。図３に示す中継局１０５の実施形態は、ただ例示であるだけであり、中継局１０５の他の実施形態は、本発明の範囲内で使用されることができる。
【００３１】
中継局（ＲＳ）１０５は、ＢＳ１０２と同一であるか又は類似の構成要素を含むことができる。例えば、ＲＳ１０５は、中継局制御部（Relay Station Controller：ＲＳＣ）１７２及び基本送受信サブシステム（Base Transceiver Subsystem：ＢＴＳ）１７４を含む。ＲＳ１０５は、メモリ１９６及びアンテナアレイ１８８をさらに含む。本発明の動作に対する説明の簡潔性及び明瞭性のために、セル１３５及びセル１４０内の基本送受信サブシステム及び中継局送受信サブシステムと関連した中継局制御部は、ＲＳ１０５及びＲＳ１１０と総称する。
【００３２】
アンテナアレイ１８８は、ＲＦ送受信部１８２から受信した順方向チャネル信号をＲＳ１０５のサービスエリアにある移動局に送信する。また、アンテナアレイ１８８は、（セル１３５のような）ＲＳ１０５のサービスエリアにある移動局から受信した逆方向チャネル信号を送受信部１７４に送信する。本発明の一部の実施形態において、アンテナアレイ１８８は、各アンテナセクタが１２０Ｅアークサービスエリアで送信及び受信を担当する３−セクタアンテナのようなマルチセクタアンテナである。追加で、ＲＦ送受信部１８２は、送受信動作の間にアンテナアレイ１８８で相互に異なるアンテナ間で選択するアンテナ選択部を含み得る。
【００３３】
メモリ１９６は、コンピュータ読み取り可能な記録媒体であり得る。例えば、メモリ１９６は、マイクロプロセッサー又は他のコンピュータ関連システム又は方法により使用されるためのコンピュータプログラム、ソフトウェア、ファームウェア、又はデータの包含、格納、通信、伝播、又は送信を行える電子、磁気、電磁気、光学、電気−光学、電気−機械、及び／又は他の物理的な装置であり得る。メモリ１９６は、ランダムアクセスメモリ（ＲＡＭ）を有し、メモリ１９６の他の部分は、読み取り専用メモリ（ＲＯＭ）として機能するフラッシュメモリを有する。
【００３４】
ＲＳＣ１７２は、ＢＳ１０２とＲＳ１０５間の通信及びＳＳ１１２とＲＳ１０５間の通信を維持するように動作することができる。ＲＳ１０５は、無線接続を通してＳＳ１１２と通信する。一部の実施形態において、ＲＳ１０５は、バックホールリンク１２５の接続を通してＢＳ１０２と通信する。一部の実施形態において、ＲＳ１０５は、無線接続を通してＢＳ１０２と通信する。
【００３５】
図４は、本発明による分離符号化を示す図である。図４に示す例において、２つの中継局（ＲＳ）及び２つのＨＡＲＱ過程がシステムに存在する。周波数分割複信（Frequency Division Duplexing：ＦＤＤ）に対して、最大８つのＨＡＲＱ過程がダウンリンクに存在する。２つのＤＣＩは、２つの中継局に送信される。ＤＣＩが個別に符号化されることにより、第１のＤＣＩは、ＲＳ１０５のような第１のＲＳに送信され、第２のＤＣＩは、ＲＳ１１０のような第２のＲＳに送信される。各中継局、すなわち、ＲＳ１０５及びＲＳ１１０は、異なる無線ネットワーク一時識別子（Radio Network Temporary Identifier：ＲＮＴＩ）を含む。巡回冗長検査（Cyclic Redundancy Check：ＣＲＣ）は、スクランブリングされ、各中継局に対して各ＲＮＴＩを使用し、各ＤＣＩ上で実行される。例えば、ブロック２０５において、第１のＤＣＩに対するＣＲＣ付加は、ＲＳ１０５に対応するＲＮＴＩであるＲＮＴＩ００を使用してスクランブリングされる。また、ブロック２１０において、第２のＤＣＩに対するＣＲＣ付加は、ＲＳ１１０に対応するＲＮＴＩであるＲＮＴＩ１１を使用してスクランブリングされる。このスクランブリングされたＤＣＩは、ブロック２１５及びブロック２２０でチャネル符号化、レートマッチング、及び変調が行われ、ブロック２２５でのＣＣＥマッピング及びブロック２３０でのリソース要素マッピングが行われる。その後に、ＲＳ１０５及びＲＳ１１０の各々は、ブロック２３５及び２４０で自身の各ＤＣＩを決定する。各中継局は、自身のＲＮＴＩを認識しているために、ＲＳ１０５及びＲＳ１１０は、自身の各ＲＮＴＩを使用してＤＣＩを復号化することができる。
【００３６】
インバンド（in-band）バックホール中継に対して、ＢＳ対中継局（BS-to-relay）リンクは、中継局対ＵＥ（relay-to-UE）リンクと同一の周波数スペクトルで動作する。自身の受信部に干渉を発生させる中継送信部により同一の周波数リソース上でのＢＳ対中継局及び中継局対ＵＥの同時送信は、特定の、よく分離され、よく離隔したアンテナ構造を通して十分に分離された出力及び入力信号が提供されない限り実現不可能であり得る。同様に、ＲＳ１１０のような中継局は、ＲＳ１１０がＢＳ１０２に送信する間にＳＳ１１４の送信を同時に受信することが不可能であり得る。
【００３７】
干渉問題を扱うための１つの可能性は、ＲＳ１１０がＢＳ１０２（例えば、ドナー（donor）ＢＳ）からデータを受信すると仮定する際に、ＲＳ１１０がデータを端末に送信しないようにＲＳ１１０を動作させるものである。すなわち、中継局対ＵＥ送信で“ギャップ”を生成するものである。端末（Ｒｅｌ−８端末を含む）が何の中継送信も期待しない間のこのような“ギャップ”は、図５に示すように、マルチキャスト／ブロードキャスト単一周波数ネットワーク（Multicast/Broadcast Single Frequency Network：ＭＢＳＦＮ）サブフレームを構成することにより生成されることができる。
【００３８】
図５は、本発明による中継局対ＵＥ通信及びＢＳ対中継局通信を示す図である。中継局対ＵＥ通信３０５は、普通のサブフレーム（normal subframes）を使用し、ＢＳ対中継局通信３１０は、ＭＢＳＦＮサブフレームを使用する。進歩したＥ−ＵＴＲＡ物理階層側面（Physical Layer Aspects）の全体内容を参照する３ＧＰＰ  ＴＲ  ３６．８１４  ｖ１．０．１によると、中継局対ＢＳ送信は、一部のサブフレームで何の端末対中継局送信も許容しないことにより容易になされることができる。
【００３９】
図６は、本発明による基地局と加入者端末間の信号交換を示す図である。ＢＳ１０２及びＳＳ１１４は、ＨＡＲＱ過程と関連した物理信号を交換することができる。
【００４０】
ＵＥへのＤＬ送信４００に対して、ＢＳ１０２は、サブフレームでＨＡＲＱ  ＩＤ番号＃ｎを含むＤＬ送信グラント４０５をＳＳ１１１に送信する。また、同一のサブフレームで、ＢＳ１０２は、ＨＡＲＱ過程のための２個までのパケット（又は複数のＴＢ）をＳＳ１１１に送信する。４個のサブフレームの後に、ＳＳ１１１は、ＨＡＲＱ過程＃ｎでのパケットの受信確認４１５をＢＳ１０２にさらに送信する。受信確認４１５信号は、この２個のパケットに対して２つのビットまで含み、各ビットは、ＳＳ１１１での復号化結果を示す。ＳＳ１１１がパケットの復号化に成功すると、受信確認４１５信号は、パケットに対してＡＣＫビットを含む。そうでなければ、受信確認４１５信号は、パケットに対してＮＡＣＫビットを含む。パケットのためのＮＡＣＫが受信される場合に、ＢＳ１０２は、ＨＡＲＱ  ＩＤ＃ｎを含む送信グラント４２０及びＨＡＲＱ過程のための再送信パケット４２５をＳＳ１１１がＮＡＣＫを受信したサブフレームより幾つかのサブフレームの後にＳＳ１１１に送信する。
【００４１】
ＵＥへのＵＬ送信４３０に対して、ＢＳ１０２は、ＵＬ送信グラント４３５をＳＳ１１１に送信する。ＵＬ送信グラント４３５は、サブフレームでＨＡＲＱ  ＩＤ番号＃ｎを含む。４個のサブフレームの後に、ＳＳ１１１は、ＨＡＲＱ過程のためのパケット４４０をＢＳ１０２に送信する。４個のサブフレームの後に、ＢＳ１０２は、ＨＡＲＱ過程＃ｎでパケットの受信確認４４５信号をＳＳ１１１にさらに送信する。ＢＳ１０２がパケットの復号化に成功する場合に、ＢＳ１０２は、ＡＣＫをさらに送信し、そうでなければ、ＢＳ１０２は、ＮＡＣＫをＳＳ１１１にさらに送信する。ＮＡＣＫが受信される場合に、ＳＳ１１１は、ＳＳ１１１がＮＡＣＫをＡＣＫ４４５信号で受信したサブフレームの後の４個のサブフレームでＨＡＲＱ過程のためのパケット４５０をＢＳ１０２に再送信する。
【００４２】
図７は、本発明による物理アップリンク制御チャネルを示す図である。物理アップリンク制御チャネル（Physical Uplink Control Channel：ＰＵＣＣＨ）は、複数の領域、すなわち、ＣＱＩ領域５０５、パーシステント（persistent）−ＡＣＫ／ＮＡＣＫ（Ｐ−ＡＣＫ）及びスケジューリング要請（Scheduling Request：ＳＲ）領域（以下、“Ｐ−ＡＣＫ／ＳＲ領域”と称する）５１０、及び動的ＡＣＫ／ＮＡＣＫ（Ｄ−ＡＣＫ）領域５１５に分割される。ＬＴＥシステムにおいて、ＵＬ  ＡＣＫ／ＮＡＣＫは、３ＧＰＰ  ＴＳ  ３６．３２１  ｖ８．５．０、ＭＡＣプロトコル標準で５．４．１に従う手順に従うＰＵＣＣＣＨにマッピングされる。ＣＱＩ領域５０５及びＰ−ＡＣＫ／ＳＲ領域５１０は、第１のリソースｉ  ５２０に含まれることができる一方、Ｄ−ＡＣＫ領域５１５は、第２のリソースｊ  ５２５に含まれることができる。ＲＳ１０５は、ＢＳ１０２（アンカーｅＮＢ）からデータを受信する機会をより少なく有する。バックホールデータの受信がＲＳ１０５に許諾される際に、ＲＳ１０５は、やはりＲＳ１１０のような他の中継局とＳＳ１１１及びＳＳ１１６のようなマクロセル加入者端末（アンカーＢＳ１０２と直接接続される加入者端末）とのリソース共有を必要とする。より少ない送信機会をもってＢＳ１０２からＲＳ１０５にさらに多くのバックホールデータを送信するために、本発明の実施形態は、ＲＳ１０２がサブフレームで多重ＨＡＲＱ過程を受信することができるようにダウンリンクバックホールトラフィックに対する制御設計を提供する。
【００４３】
ＲＳ１０５は、同一のサブフレーム内で複数の転送ブロックを受信することができる。この複数の転送ブロックは、システムが多入力多出力（Multiple Input Multiple Output：ＭＩＭＯ）システムであるか否かに関係なく同一のサブフレームで受信されることができる。例えば、非ＭＩＭＯシステムにおいて、ＲＳ１０５は、１つのアンテナ上で受信された複数の転送ブロックを２個の異なる時分割リソース、すなわち、２個の異なるセットのリソースブロックを使用して受信することができる。一部の実施形態において、ＢＳ１０２は、１つのセットのリソースブロックがＲＳ１０５に対して１回のＨＡＲＱ過程のために割り当てられるサブフレームでＲＳ１０５に対して割り当てられた（１セット、２セットなどのような）複数のセットのリソースブロックを特定する少なくとも１つの送信グラントをＲＳ１０５に送信する。また、ＲＳ１０５に対する各ＨＡＲＱ過程は、過程ＩＤ番号を有し、ＨＡＲＱ過程は、１個の転送ブロック、２個の転送ブロックなどのような複数の転送ブロックを運搬する。例えば、各ＴＢは、対応するＨＡＲＱ過程ＩＤを有する。すなわち、２個の転送ブロックがサブフレーム上で送信されるものであれば、２個の個別のＨＡＲＱ過程ＩＤが使用される。
【００４４】
例えば、１つ又はそれ以上の送信グラントは、ＢＳ１０２で中継局への送信又はバックホールダウンリンク（ＤＬ）の送信に対する時間−周波数リソース（又はリソースブロック（ＲＢ））を示すためにＲＳ１０５に送信される。他の例において、１つ又はそれ以上の送信グラントは、中継局対ｅＮｏｄｅＢ送信又はバックホールアップリンク（ＵＬ）送信に対する時間−周波数リソース（又はＲＢ）を示すためにＲＳ１０５に送信される。
【００４５】
第１の方法において、ＢＳ１０２は、ＲＳ１０５及びＲＳ１１０のような中継局に対する送信グラント及びＳＳ１１１及びＳＳ１１６のようなマクロ加入者端末に対する送信グラントを同一のサブフレームで送信する。他の方法において、ＢＳ１０２は、ＲＳ１０５及びＲＳ１１０のような中継局に対する送信グラント及びＳＳ１１１及びＳＳ１１６のようなマクロ加入者端末に対する送信グラントを他のサブフレームでマルチプレックス方式で送信する（マルチプレキシングすることができる）。
【００４６】
この送信グラントは、物理チャネルに乗せられる。１つの方法において、ＲＳ１０５及びＲＳ１１０のようなグラント中継は、３ＧＰＰ  Ｒｅｌ−８システムで定義された物理ダウンリンク制御チャネル（ＰＤＣＣＨ）で送信される。他の方法において、ＲＳ１０５及びＲＳ１１０のようなＤＬグラント中継は、時間−周波数リソースが３ＧＰＰ  Ｒｅｌ−８  ＰＤＣＣＨに対するリソースから１つのサブフレームで個別に割り当てられるＲ−ＰＤＣＣＨで送信される。
【００４７】
図８は、本発明の実施形態による中継局に対するＨＡＲＱ過程のための送信を示す図である。図８に示す送信の実施形態は、ただ例示であるだけであり、本発明の要旨を逸脱しない範囲内で他の実施形態も使用されることができる。
【００４８】
ＢＳ１０２とＲＳ１０５間の送信は、多重ＨＡＲＱ過程に対するものである。この送信は、単一送信、二重送信、複数の単一送信、複数の二重送信、又は単一及び二重送信の組み合せであり得る。単一送信において、１つ又はそれ以上の転送ブロックは、サブフレームでリソースブロックの連続的なセット（すなわち、１つ又はそれ以上のリソースブロック）で送信される。二重送信において、１つ又はそれ以上の転送ブロックは、サブフレームで２つ又はそれ以上の非連続的なリソースブロックで送信される。
【００４９】
例えば、無線フレーム＃０  ６００のサブフレーム＃１  ６０１において、ＢＳ１０２は、ＨＡＲＱ過程ＩＤ１を含むＴＢ１１及びＴＢ１２をＲＳ１０５に送信し、無線フレーム＃０  ６１０のサブフレーム＃１  ６１１において、ＢＳ１０２は、ＨＡＲＱ過程ＩＤ３を含むＴＢ３１及びＴＢ３２をＲＳ１０５に送信し、無線フレーム＃０  ６００のサブフレーム＃７  ６０７において、ＢＳ１０２は、ＨＡＲＱ過程ＩＤ７を含むＴＢ７１  ６１７をＲＳ１０５に送信する。ＴＢ７１  ６１７は、サブフレーム＃７  ６０７で複数のリソースブロックにわたっている単一送信であり得る。
【００５０】
ＲＳ１０５は、復号化結果に従って、このようなＨＡＲＱ過程と関連したＡＣＫ／ＮＡＣＫビットを中継ＵＬ６２０でＢＳ１０２にフィードバックする。ＲＳ１０５がサブフレームで送信されたＴＢの復号化に成功する場合に、ＲＳ１０５は、ＡＣＫを４個のサブフレームの後にＢＳ１０２にフィードバックする。そうでなければ、ＲＳ１０５は、ＮＡＣＫをＢＳ１０２にフィードバックする。図示する例において、ＲＳ１０５は、ＨＡＲＱ  ＩＤ１及び３と関連したＴＢを復号化することができない一方、ＲＳ１０５は、ＨＡＲＱ  ＩＤ７と関連したＴＢの復号化に成功する。したがって、ＲＳ１０５は、第２の無線フレームにおいて、サブフレーム＃５  ６４５でのＨＡＲＱ  ＩＤ１に対するＮＡＣＫ６２１、サブフレーム＃７  ６４７でのＨＡＲＱ  ＩＤ３に対するＮＡＣＫ６２３、及びサブフレーム＃１  ６５１でのＨＡＲＱ  ＩＤ７に対するＡＣＫ６２７を送信する。
【００５１】
ＲＳ１０５で復号化に成功しなかったＴＢに対して、ＢＳ１０２は、ＢＳ１０２がＡＣＫ／ＮＡＣＫフィードバックを受信するサブフレームの後のサブフレームで再送信をスケジューリングする。本例において、ＢＳ１０２は、無線フレーム＃１  ６１５のサブフレーム＃１  ６１１でＨＡＲＱ過程  ＩＤ１及び３で乗せられたＴＢに対する再送信６３１及び６３３をスケジューリングする。例えば、ＴＢ３１及びＴＢ３２は、サブフレーム＃１  ６１１で複数のリソースブロックにわたって単一再送信６３３で送信されることができる。また、ＴＢ３１及びＴＢ３２は、サブフレーム＃１  ６１１で複数のリソースブロックにわたって二重再送信６３１で送信されることができる。その後に、ＲＳ１０５は、第２の無線フレームのサブフレーム＃５  ６５５でＨＡＲＱ  ＩＤ１及び３に対するＡＣＫ６２９を送信することができる。
【００５２】
一部の実施形態において、ＢＳ１０２は、幾つのＨＡＲＱ過程がＲＳ１０５に送信されるかを示す。ＲＳ１０５がこの指示を受信する場合に、ＲＳ１０５は、幾つのＨＡＲＱ過程が送信されるかを認識する。したがって、ＲＳ１０５は、制御情報を復号化することができる。一部の実施形態において、単一及び二重送信は、ＴＢ３１及びＴＢ３２に対する再送信６３３が第１のダウンリンクグラントで符号化されることができ、ＴＢ１１及びＴＢ１２に対する再送信６３１が第２のダウンリンクグラントで符号化されることができるように個別に符号化されることができる。一部の実施形態において、再送信６３３及び６３１は、同一のダウンリンクグラントで符号化される。
【００５３】
図９は、本発明の実施形態による２個のＲＮＴＩを有する１つの中継局に割り当てられた２個のＨＡＲＱ過程を示す図である。図９に示す実施形態は、ただ例示であるだけであり、本発明の要旨を逸脱しない範囲内で他の実施形態も使用されることができる。
【００５４】
一部の実施形態において、個別の中継−ＰＤＣＣＨ（Ｒ−ＰＤＣＣＨ）は、サブフレームで多重ＨＡＲＱ過程制御情報をＲＳ１０５のような１つのＲＳに送信するのに使用される。各Ｒ−ＰＤＣＣＨは、１回のＨＡＲＱ過程に対するＤＣＩに対応する。ＲＳ１０５は、各ＤＣＩを独立して復号化することができる。ＲＳ１０５は、各ＨＡＲＱ過程に対する制御情報を各Ｒ−ＰＤＣＣＨから受信することができる（例えば、決定することができる）。この制御情報は、３ＧＰＰ  ＬＴＥ  ３６．２１２  ｖ８．５．０、多重化及びチャネル符号化でＤＣＩフォーマットの中の１つで少なくとも１つのフィールドを含む。
【００５５】
一部の実施形態において、複数のＲＮＴＩは、多重ＨＡＲＱ過程に対して割り当てられる。ＨＡＲＱ過程は、ＵＥ  ＩＤ又はＭＡＣ  ＩＤのようなＲＮＴＩにリンクされ、ＨＡＲＱ過程に対するＤＣＩは、ＲＮＴＩを有するスクランブリングされたＣＲＣを付加するのであろう。この場合に、ＤＣＩフォーマットは、ＨＡＲＱ過程番号を含まない。
【００５６】
ＲＳ１０５は、ＲＮＴＩを使用してＤＣＩへのＣＲＣ付加をデスクランブリングするもののように、ＤＣＩを復号化することによりＨＡＲＱ過程番号を発見することができる。例えば、ＲＮＴＩ０は、ＨＡＲＱ過程０と関連する一方、ＲＮＴＩ１は、ＨＡＲＱ過程１と関連する。また、ＲＮＴＩ０及びＲＮＴＩ１は、ＲＳ１０５に対応する。すなわち、ＲＳ１０５は、ＲＳ１０５に対するＩＤとしてＲＮＴＩ０及びＲＮＴＩ１を含む。ＳＳ１１２のような加入者端末がＲＮＴＩ０を有するＤＣＩを復号化する際に、ＳＳ１１２は、ＤＣＩがＨＡＲＱ過程０に対するものであることを決定する。あるいは、ＳＳ１１２がＲＮＴＩ１を有するＤＣＩを復号化する際に、ＳＳ１１２は、ＤＣＩがＨＡＲＱ過程１に対するものであることを決定する。
【００５７】
例えば、ブロック７０５は、ＲＳ１０５のためのＨＡＲＱ過程０に関する制御情報を含み、ブロック７１０は、ＲＳ１０５のためのＨＡＲＱ過程１に関する制御情報を含む。ブロック７１５で、ＣＲＣ付加及びスクランブリングは、ＲＮＴＩ０を使用して実行される。ブロック７２０で、ＣＲＣ付加及びスクランブリングは、ＲＮＴＩ１を使用して実行される。ＲＮＴＩ０及びＲＮＴＩ１の両方は、ＲＳ１０５に対応する。ブロック７２５及び７３０で、チャネル符号化、レートマッチング、及び変調などは、Ｒ−ＤＣＩ０及びＲ−ＤＣＩ１を生成するためにブロック７１５からの出力及びブロック７２０からの出力上でそれぞれ実行される。ブロック７３５で、リソース要素（Resource Element：ＲＥ）マッピングは、Ｒ−ＰＤＣＣＨ０及びＲ−ＰＤＣＣＨ１に従って行われる。ブロック７４０で、ＲＳ１０５は、Ｒ−ＰＤＣＣＨ０を決定するためにＲＮＴＩ０及びＲＮＴＩ１を使用し、Ｒ−ＰＤＣＣＨ１は、ＲＳ１０５に割り当てられる。
【００５８】
一部の実施形態において、複数のＲＮＴＩが多重ＨＡＲＱ過程のために使用される場合に、ＲＮＴＩセットは、上位階層シグナリングを通してＲＳ１０５に送信される。ＢＳ１０２は、ＲＮＴＩ０及びＲＮＴＩ１のようなＲＮＴＩセットをＲＳ１０５に送信する。ＲＮＴＩセットは、多重ＨＡＲＱ過程に対応する正確な数のＲＮＴＩ又は最大に可能な数のＲＮＴＩを含み得る。
【００５９】
図１０は、本発明の実施形態による１つのＲＮＴＩを有する１つの中継局に割り当てられた２個のＨＡＲＱ過程を示す図である。図１０に示す実施形態は、ただ例示であるだけであり、他の実施形態は、本発明の範囲を逸脱することなく使用されることができる。
【００６０】
１つのＲＮＴＩは、多重ＨＡＲＱ過程のために使用されることができる。例えば、ブロ
ック７０５は、ＲＳ１０５に対するＨＡＲＱ過程０に関する制御情報を含み、ブロック７１０はＲＳ１０５に対するＨＡＲＱ過程１に関する制御情報を含む。ブロック８１５及び８２０に示すように、ＲＳ１０５に送信された各ＨＡＲＱ過程に対するＤＣＩは、ＲＮＴＩによりスクランブリングされたＣＲＣに付加される。ブロック８１５で、ＣＲＣ付加及びスクランブリングは、ＲＮＴＩ０を使用して実行される。ブロック８２０で、ＣＲＣ付加及びスクランブリングは、同一のＲＮＴＩ０を使用して実行される。ブロック８２５及び８３０で、チャネル符号化、レートマッチング、及び変調などは、Ｒ−ＤＣＩ０及びＲ−ＤＣＩ１を生成するためにブロック８１５からの出力及びブロック８２０からの出力上でそれぞれ実行される。ブロック８３５で、ＲＥマッピングは、Ｒ−ＰＤＣＣＨ０及びＲ−ＰＤＣＣＨ１に従って実行される。ブロック８４０で、Ｒ−ＰＤＣＣＨ０及びＲ−ＰＤＣＣＨ１は、ＲＳ１０５に割り当てられる。この場合に、ＤＣＩは、ＨＡＲＱ過程ＩＤ番号フィールドを含む。
【００６１】
ＲＳ１０５は、最大数のＨＡＲＱ過程を有するように構成される。この構成は、ＢＳ１０２による上位階層シグナリングを通してなされることができる。又は、この最大数は、システムで定められることができ、例えば、最大数は、“２”に定められることができる。
【００６２】
ＲＳ１０５は、自身を対象とする複数のＤＣＩを探すためにブラインド復号化を使用することができる。ＲＳ１０５は、自身のＲＮＴＩを有する候補ＤＣＩへのＣＲＣ付加をデスクランブリングする。ＲＳ１０５は、ＲＳ１０５が最大数のＤＣＩの復号化に成功するか、又はＤＣＩ候補を完全に調査した場合には、ブラインド復号化を中断する。
【００６３】
一部の実施形態において、ＲＳ１０５を対象とする複数のＲ−ＤＣＩは、パターンなしに独立して制御チャネルエレメント（Control Channel Elements：ＣＣＥｓ）にマッピングされることができる。この場合に、ＲＳ１０５は、各Ｒ−ＰＤＣＣＨを独立してブラインド復号化を行うのであろう。
【００６４】
一部の実施形態において、ＲＳ１０５を対象とする複数のＲ−ＤＣＩは、中継ＣＣＥ（Ｒ−ＣＣＥｓ）に共同でマッピングされることができる。この場合に、すべてのＰＤＣＣＨは、同一のアグリゲーションレベルにマッピングされるか、または固定されたパターンでマッピングされることができる。ＲＳ１０５がＲＳ１０５を対象とする１つのＤＣＩの正確なブラインド復号化を行う場合に、ＲＳ１０５は、この決定されたアグリゲーションレベル又は他のＲ−ＤＣＩ（又はＲ−ＰＤＣＣＨ）に対するＲ−ＣＣＥの正確な位置を認識する。ＲＳ１０５は、この決定されたアグリゲーションレベルで他のＤＣＩのブラインド復号化を行うか、パターンが示すＲ−ＣＣＥのセットで他のＤＣＩを探すように試みる。
【００６５】
図１１は、本発明の実施形態によるＣＣＥに共同でマッピングされた２個のＰＤＣＣＨに対する中継局によるブラインド復号化を示す図である。図１１に示す実施形態は、ただ例示であるだけで、本発明の要旨を逸脱しない範囲内で他の実施形態も使用されることができる。
【００６６】
樹形図９００において、候補Ｒ−ＰＤＣＣＨは、このノードの下部葉ノードに対応するＲ−ＣＣＥをアグリゲーションすることによりノードごとに発見される。例えば、Ｒ−ＰＤＣＣＨ０  ９０５は、Ｒ−ＣＣＥ０  ９１０及びＲ−ＣＣＥ１  ９１１をアグリゲーションすることにより発見される。
【００６７】
１つの例示的な方法において、ＢＳ１０２は、同一のアグリゲーションレベルで２個のＲ−ＰＤＣＣＨをマッピングする。本例において、ＰＤＣＣＨ０  ９０５がツリーノード“０”９２０にマッピングされる場合に、Ｒ−ＰＤＣＣＨ１  ９２５は、ツリーノード“１”９３０にマッピングされることができる。ＲＳ１０５がＲ−ＰＤＣＣＨ０  ９０５でＤＣＩの復号化に成功すると、ＲＳ１０５は、他の候補Ｒ−ＰＤＣＣＨが２−ＣＣＥ集合であることを判定する。その後に、ＲＳ１０５は、２−ＣＣＥ集合だけでブラインド復号化を継続し、Ｒ−ＰＤＣＣＨ１  ９２５を発見する。
【００６８】
他の例示的な方法において、ＢＳ１０２は、同一のアグリゲーションレベルで、Ｒ−ＣＣＥの隣接セットで２個のＲ−ＰＤＣＣＨをマッピングする。例えば、ＢＳ１０２がＲ−ＣＣＥ０  ９１０及びＲ−ＣＣＥ１  ９１１の集合でＲ−ＰＤＣＣＨ０  ９０５をマッピングする場合に、ＢＳ１０２は、Ｒ−ＣＣＥ２  ９１２及びＲ−ＣＣＥ３  ９１３の集合でＲ−ＰＤＣＣＨ１  ９２５をマッピングする。
【００６９】
図１２は、本発明の実施形態によるＲＥマッピングに対するＣＣＥを示す図である。図１２に示す実施形態は、ただ例示であるだけで、本発明の要旨を逸脱しない範囲内で他の実施形態も使用されることができる。
【００７０】
ＢＳ１０２は、ＳＳ１１１及びＳＳ１１６のようなマクロ加入者端末に対するＢＳ１０２制御領域１０１０のために使用されるＲＥを除外したサブフレームでの複数のＲＢでＲＥのセットとしてＲ−ＰＤＣＣＨ領域１００５を半静的に（中継局への上位階層シグナリングにより）構成する。Ｒ−ＣＣＥは、複数のミニＣＣＥ１０１５及び１０２０にマッピングされ、各ミニＣＣＥは、Ｒ−ＰＤＣＣＨ領域での４個のＲＥでなされる。例えば、ミニＣＣＥ１０１５は、Ｒ−ＣＣＥ＃０に対応し、ミニＣＣＥ１０２０は、Ｒ−ＣＣＥ＃１に対応する。Ｒ−ＰＤＣＣＨは、少なくとも１つのＲ−ＣＣＥにマッピングされる。
【００７１】
図１３及び図１４は、本発明の実施形態によるＲＥマッピングに対するＣＣＥの追加例を示す図である。図１３及び図１４に示す実施形態は、ただ例示であるだけであり、本発明の要旨を逸脱しない範囲内で他の実施形態も使用されることができる。
【００７２】
図１３に示す例において、ＢＳ１０２は、ＳＳ１１１又はＳＳ１１６のようなマクロ加入者端末に対するｅＮｏｄｅＢ制御領域のために使用されるＲＥを除外したサブフレームでの複数のＲＢのＲＥのセットとしてＲ−ＰＤＣＣＨ領域１００５を半静的に（中継局への上位階層シグナリングにより）構成する。サブフレーム１１１０は、一例で、１つのミリ秒サブフレームであり、各サブフレームは、２つのスロットを有し、スロットのそれぞれは、０．５ミリ秒に相当する。サブフレーム１１１０は、１４個の順次的なＯＦＤＭシンボルを含むことにより、各スロットは、７個の順次的なＯＦＤＭシンボルを含む。しかしながら、これは、ただ例示であるだけで、本発明の範囲を限定するものと解釈されてはいけない。他の実施形態において、このスロットは、０．５ミリ秒より長いか又は短いことがあり、１つのサブフレームは、1４個を超過するＯＦＤＭシンボル又は１４個未満のＯＦＤＭシンボルを含み得る。
【００７３】
また、Ｒ−ＰＤＣＣＨ領域１１０５内の第１のセット１１２５のＯＦＤＭシンボルは、ＤＬスケジューリング割り当て（又はダウンリンク（ＤＬ）送信グラント）のために使用されるＲ−ＣＣＥのために使用され、他方、Ｒ−ＰＤＣＣＨ領域１１０５内の第２のセット１１３０のＯＦＤＭシンボルは、ＵＬスケジューリング割り当て（又はアップリンク（ＵＬ）送信グラント）のために使用されるＲ−ＣＣＥのために使用される。ＬＴＥシステムがＤＬグラントに対してさらに厳格なレイテンシー（latency）要件を有するために、ＢＳ１０２は、Ｒ−ＰＤＣＣＨ領域内の第１のセットのＯＦＤＭシンボルでＤＬグラントを位置させる。第１のセット１１２５は、サブフレームの第１のスロットでのＯＦＤＭシンボルに対応することができ、第２のセット１１３０は、サブフレームの第２のスロットでのＯＦＤＭシンボルに対応することができる。
【００７４】
しかしながら、セット１１２５とセット１１３０間のセット境界は、スロット０とスロット１間のスロット境界と一致する必要がないことに留意しなければならない。したがって、スロット０及びスロット１の各々には、７個のＯＦＤＭシンボルがあり、他方、セット１１２５及びセット１１３０には、７個を超過するＯＦＤＭシンボル又は７個未満のＯＦＤＭシンボルが存在し得る。Ｒ−ＣＣＥは、複数のミニＣＣＥにマッピングされ、各ミニＣＣＥは、Ｒ−ＰＤＣＣＨ領域１１０５での４個のＲＥでなされる。ＤＬ  Ｒ−ＰＤＣＣＨは、第１のスロットでの少なくとも１つのＲ−ＣＣＥにマッピングされる。同様に、ＵＬ  Ｒ−ＰＤＣＣＨは、第２のスロットでの少なくとも１つのＲ−ＣＣＥにマッピングされる。例えば、ミニＣＣＥ１１１５は、ＵＬ  Ｒ−ＣＣＥ＃０に対応し、ミニＣＣＥ１１２０は、ＤＬ  Ｒ−ＣＣＥ＃０に対応する。
【００７５】
一部の実施形態において、図１３に示すように、ＤＬ送信グラントに対するＲ−ＣＣＥは、オーバーラップされず、第１のセット１１２５のＯＦＤＭシンボルのみに含まれ、ＵＬ送信グラントに対するＲ−ＣＣＥは、第２のセット１１３０のＯＦＤＭシンボルのみに含まれる。しかしながら、他の実施形態において、図１４に示すように、ＵＬ送信グラントに対するＲ−ＣＣＥは、第１のセット１１２５のＯＦＤＭシンボル及び第２のセット１１３０のＯＦＤＭシンボルの両方に含まれ得る。
【００７６】
Ｒ−ＣＣＥは、複数のミニＣＣＥにマッピングされ、各ミニＣＣＥは、Ｒ−ＰＤＣＣＨ領域１１０５での４つのＲＥで構成される。ＤＬ  Ｒ−ＰＤＣＣＨは、第１のスロットでの少なくとも１つのＲ−ＣＣＥにマッピングされる。同様に、ＵＬ  Ｒ−ＰＤＣＣＨは、第１のスロット及び第２のスロットの両方での少なくとも１つのＲ−ＣＣＥにマッピングされる。例えば、ミニＣＣＥ１１１５は、ＵＬ  Ｒ−ＣＣＥ＃０に対応し、ミニＣＣＥ１１２０は、ＤＬ  Ｒ−ＣＣＥ＃０に対応する。
【００７７】
図１５は、本発明の実施形態によるリソースブロックに共同で割り当てられた２つの中継物理ダウンリンク制御チャネルを示す図である。図１５に示す実施形態は、ただ例示であるだけであり、本発明の要旨を逸脱しない範囲内で他の実施形態も使用されることができる。
【００７８】
一部の実施形態において、共同ＲＥマッピングは、異なるＨＡＲＱ過程と関連することができる。この共同ＲＥマッピングは、予め決定されるか又は半静的に構成されることができる。ＲＳ１０５がＲ−ＰＤＣＣＨ０  １２０５を復号化する場合に、ＲＳ１０５もＲ−ＰＤＣＣＨ１  １２１０をどこで見つけるかを認識する。本例において、Ｒ−ＰＤＣＣＨ１２０５及び１２１０は、周波数分割多重化（Frequency Division Multiplexing：ＦＤＭ）方式を用いて送信される。また、Ｒ−ＰＤＣＣＨ１２０５及び１２１０は、時分割多重化（Time Division Multiplexing：ＴＤＭ）、ＴＤＭ／ＦＤＭなどの方式を用いて送信されることができる。
【００７９】
図１６は、本発明の実施形態によるＲＳ１０５のような１つの中継局と関連し、１つのＲＢに多重化されマッピングされた２個のＲ−ＰＤＣＣＨを示す図である。図１６に示す実施形態は、ただ例示であるだけであり、本発明の要旨を逸脱しない範囲内で他の実施形態も使用されることができる。
【００８０】
一部の実施形態において、ＲＳ１０５のような１つの中継局と関連した複数のＲ−ＰＤＣＣＨは、予め定められたＲＢに多重化されマッピングされることができる。特に、異なるＲ−ＰＤＣＣＨ１３０５及び１３１０からのＤＬスケジューリング割り当て（ＳＡ）は、サブフレームで第１のスロット１３２５又は第１のセットのＯＦＤＭシンボルを多重化し占有する。異なるＲ−ＰＤＣＣＨ１３１５及び１３２０からのＵＬ  ＳＡは、サブフレームで第２のスロット１３３０又は第２のセットのＯＦＤＭシンボルを多重化し占有する。ＲＢは、ＲＳ１０５が自身のＲ−ＰＤＣＣＨをどこで見つけるかを認識するようにあらかじめ決定されることができる。
【００８１】
図１７は、本発明の実施形態による１つの中継局に共同で割り当てられた２個のＨＡＲＱ過程を示す図である。図１７に示す実施形態は、ただ例示であるだけであり、本発明の要旨を逸脱しない範囲内で他の実施形態も使用されることができる。
【００８２】
一部の実施形態において、１つのＲ−ＰＤＣＣＨは、サブフレームでＲＳ１０５のような１つの中継局に多重ＨＡＲＱ過程制御情報を送信するために使用されることができる。この後に、ＲＳ１０５のような１つの中継局に多重ＨＡＲＱ過程制御情報を送信するために１つのＲ−ＰＤＣＣＨを使用する過程は、“共同処理（Joint Processing）”と称する。ＲＳ１０５に送信されたすべてのＨＡＲＱ過程に対する制御情報は、共同で処理され符号化されることができる。１つのＲ−ＰＤＣＣＨのみがすべてのＨＡＲＱ過程と関連する。このようなＲ−ＰＤＣＣＨを復号化することにより、ＲＳ１０５は、すべてのＨＡＲＱ過程に対する制御情報を得るだろう。
【００８３】
一部の実施形態において、混合されたＲ−ＰＤＣＣＨは、サブフレームでＲＳ１０５のような中継局に多重ＨＡＲＱ過程制御情報を送信するために使用されることができる。１つのＲ−ＰＤＣＣＨは、多重ＨＡＲＱ過程制御情報の一部を送信するために使用されることができる。他のＲ−ＰＤＣＣＨは、多重ＨＡＲＱ過程制御情報の他の一部などを送信するために使用されることができる。１つのＲ−ＰＤＣＣＨを復号化することにより、ＲＳ１０５は、ＨＡＲＱ過程の一部に関する制御情報を得ることができる。個別のＲ−ＰＤＣＣＨに関連したすべての実施形態は、混合されたＴ−ＰＤＣＣＨに対しても適用されることができる。
【００８４】
２個のダウンリンクグラントは、２個のＤＣＩが２個のＨＡＲＱ過程ＩＤをそれぞれ使用してＲＳ１０５に送信されることができるように共同で符号化されることができる。例えば、ブロック１４０５は、ＲＳ１０５のためのＨＡＲＱ過程０に関する制御情報を含み、ブロック１４１０は、ＲＳ１０５のためのＨＡＲＱ過程１に関する制御情報を含む。２個のＤＣＩは、ブロック１４１５で共同で処理される。ブロック１４２０で、ＣＲＣ付加及びスクランブリングは、ＲＳ１０５に対するＲＮＴＩを使用して実行される。ブロック１４２５で、チャネル符号化、レートマッチング、及び変調などは、ブロック１４２０からの出力上で実行される。ブロック１４３０で、ＲＥマッピングが実行される。ブロック１４３５で、ＲＳ１０５は、自身の割り当てを決定することができる。
【００８５】
サブフレームでＲＳ１０５のような１つの中継局に送信された多重ＨＡＲＱ過程の組み合せは、予め定められるか又は半静的に構成されることができる。この送信されたＨＡＲＱ過程のすべてを送信する必要はない。ＲＳ１０５により知られている組み合せでは、１回又は数回のＨＡＲＱ過程のみが許容される。例えば、２個のＨＡＲＱ過程は、ＲＳ１０５に送信される。ＨＡＲＱ過程０の組み合せに対しては、ＨＡＲＱ過程０及びＨＡＲＱ過程５の組み合せのみが許容される。したがって、ＲＳ１０５がＨＡＲＱ過程０を受信する場合に、ＲＳ１０５は、他のＨＡＲＱ過程が“５”であることを認識する。
【００８６】
一部の実施形態において、多重ＨＡＲＱ過程に対して、１回の再送信及び１回の新たな送信のみが許容される。再送信及び新たな送信に対する制御情報は、任意の（特定されるか又はあらかじめ定められた）順序を有することができる。例えば、再送信制御情報は、常にまず送信される。すべての再送信関連制御情報、例えば、ＲＶ、ＮＤＩなどは、新たな送信のために除去されることができる。
【００８７】
一部の実施形態において、ＲＳ１０５のような１つの中継局への多重ＨＡＲＱ過程は、ブロック１４２５で同一のＭＣＳを使用することができる。現在のＬＴＥ標準において、各ＨＡＲＱ過程が１つのＴＢを有する場合に、５つのビットがＭＣＳ方式を特定するために使用される。空間多重化でのＨＡＲＱ過程は、２個のＴＢを有することができる。したがって、各ＴＢは、ＭＣＳ方式に対して５つのビットを使用するのであろう。本発明の一部の実施形態において、多重ＨＡＲＱ過程が１つのサブフレームでＲＳ１０５に送信される場合に、１回のＨＡＲＱ過程に対するＭＣＳレベルだけが特定される必要がある。他のＨＡＲＱ過程は、特定されたＭＣＳレベルとして同一のＭＣＳレベルを使用することができる。他のＨＡＲＱ過程に対しては追加のＭＣＳビットが必要でない。
【００８８】
一部の実施形態において、ＲＳ１０５のような１つの中継局への多重ＨＡＲＱ過程は、同一のＭＩＭＯ方式及び情報を共有することができる。サブフレームでＲＳ１０５へのすべてのＨＡＲＱ過程は、同一のＭＩＭＯ方式、同一のコードワードなどを使用するのであろう。
【００８９】
一部の実施形態において、ＨＡＲＱ過程がＲＳ１０５のような１つの中継局に送信される場合に、コードワードスワップ（swap）フラグへの転送ブロックは、多重ＨＡＲＱ過程により共有される。サブフレームでＲＳ１０５へのすべてのＨＡＲＱ過程は、コードワードスワップフラグへの１つの転送ブロックのみを使用することができる。
【００９０】
図１８は、本発明の実施形態によるアップリンク帯域幅を示す図である。図１８に示すアップリンク帯域幅１５００の実施形態は、単に例示であるだけであり、本発明の要旨を逸脱しない範囲内で他の実施形態も使用されることができる。
【００９１】
ＢＳ１０２からＲＳ１０５へのＤＬ送信に応じて、ＵＬ受信確認は、ＵＬ帯域幅でパーシステント−ＡＣＫ／ＮＡＣＫ及びスケジューリング要請領域（Ｐ−ＡＣＫ／ＳＲ）間のサブフレームでの中継−ＡＣＫ（Ｒ−ＡＣＫ）領域１５０５と動的ＡＣＫ／ＮＡＣＫ領域（Ｄ−ＡＣＫ）とを含む。パラメータＤｅｌｔａＲ−ＡＮは、Ｒ−ＡＣＫ領域がパラメータＤｅｌｔａＲ−ＡＮにより示されるＰＵＣＣＨリソースから開始するように定義される。
【００９２】
サブフレームｎ−４での対応するＲ−ＰＤＣＣＨの検出により示されるＰＤＳＣＨ送信に対して、ＲＳ１０５は、サブフレームｎでのＨＡＲＱ−ＡＣＫの送信に対するＰＵＣＣＨリソース
【数１】
0005571836.tif 000002
を使用することができる。ここで、
【数２】
0005571836.tif 000003
は、対応するＤＣＩ割り当ての送信のために使用されるＲ−ＰＤＣＣＨリソースインデッ
クスであり、
【数３】
0005571836.tif 000004
は、上位階層により構成される。また、
【数４】
0005571836.tif 000005
は、３６．２１１  ｖ８．５．０でのセクション５．４．１、ＭＡＣプロトコル標準での
【数５】
0005571836.tif 000006
のように物理リソースにマッピングされることができる。
【００９３】
例えば、ＰＤＣＣＨリソースインデックスは、
【数６】
0005571836.tif 000007
であり、ここで、
【数７】
0005571836.tif 000008
は、対応するＤＣＩ割り当ての送信のために使用される第１のＣＣＥインデックスである。他の例において、ＰＤＣＣＨリソースインデックスは、対応するＤＣＩ割り当ての送信のために使用されるＲＢの最下位インデックスである。
【００９４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００９５】
１０２  基地局
１０５，１１０  中継局
１１１，１１６  マクロＵＥ
１２５  バックホールリンク
１５０  基地局制御部
１６０  ＢＴＳ制御部
１６５  チャネル制御部
１７０  チャネルエレメント
１７５  送受信部ＩＦ
１８０  ＲＦ送受信部
１９０  ハンドオフ制御部
【図１】
0005571836.tif 000009
【図２】
0005571836.tif 000010
【図３】
0005571836.tif 000011
【図４】
0005571836.tif 000012
【図５】
0005571836.tif 000013
【図６】
0005571836.tif 000014
【図７】
0005571836.tif 000015
【図８】
0005571836.tif 000016
【図９】
0005571836.tif 000017
【図１０】
0005571836.tif 000018
【図１１】
0005571836.tif 000019
【図１２】
0005571836.tif 000020
【図１３】
0005571836.tif 000021
【図１４】
0005571836.tif 000022
【図１５】
0005571836.tif 000023
【図１６】
0005571836.tif 000024
【図１７】
0005571836.tif 000025
【図１８】
0005571836.tif 000026